(57)【要約】【課題】２つの異なる制御方式に対応可能な照明制御装置を提供する。【解決手段】照明制御装置１は、信号生成部１２と、制御部１１とを備える。信号生成部１２は、照明器具２ａ、２ｂを制御する信号を生成する。制御部１１は、信号生成部１２を制御する。照明器具２ａ、２ｂは、第１制御方式、又は第１制御方式とは異なる第２制御方式に対応する。制御部１１は、信号生成部１２を制御する制御モードとして、第１制御方式に対応する第１モードと、第２制御方式に対応する第２モードとを有する。【選択図】図５
2018152274.tif 000002
【特許請求の範囲】
【請求項１】
照明器具を制御する照明制御装置であって、
前記照明器具を制御する信号を生成する信号生成部と、
前記信号生成部を制御する制御部と
を備え、
前記照明器具は、第１制御方式、又は前記第１制御方式とは異なる第２制御方式に対応し、
前記制御部は、前記信号生成部を制御する制御モードとして、前記第１制御方式に対応する第１モードと、前記第２制御方式に対応する第２モードとを有する、照明制御装置。
【請求項２】
前記照明器具から送信された信号を検出する信号検出部を更に備え、
前記信号生成部は、前記照明器具に対して応答を要求する第１信号を生成し、
前記制御部は、前記第１信号が生成された後に、前記信号検出部が前記応答を示す第２信号を検出したか否かに応じて、前記照明器具が前記第１制御方式と前記第２制御方式とのうちのいずれに対応するかを判定する、請求項１に記載の照明制御装置。
【請求項３】
前記制御部は、前記信号検出部が前記第２信号を検出した場合に、前記照明器具が前記第１制御方式に対応すると判定し、前記信号検出部が前記第２信号を検出しない場合に、前記照明器具が前記第２制御方式に対応すると判定する、請求項２に記載の照明制御装置。
【請求項４】
前記照明制御装置は、複数の前記照明器具を制御し、
前記第１信号は、前記複数の照明器具に対して一斉に送信される、請求項２又は請求項３に記載の照明制御装置。
【請求項５】
前記照明制御装置は、複数の前記照明器具を制御し、
前記複数の照明器具の各々に、互いに異なるアドレスが設定され、
前記第１信号は、前記複数の照明器具のうち、指定された前記アドレスに対応する前記照明器具へ送信される、請求項２又は請求項３に記載の照明制御装置。
【請求項６】
前記制御部は、
前記信号検出部が前記第２信号を検出したか否かに応じて、前記制御モードを前記第１モードと前記第２モードとのうちの一方に設定する、請求項２から請求項５のいずれか１項に記載の照明制御装置。
【請求項７】
前記制御部の制御モードを前記第１モードと前記第２モードとのうちの一方に設定するスイッチを更に備える、請求項１から請求項６のいずれか１項に記載の照明制御装置。
【請求項８】
前記信号生成部は、第１電圧値を示す電圧、及び第２電圧値を示す電圧を生成する電源回路を含み、
前記制御部は、設定された前記制御モードに応じて、前記電圧の電圧値を前記第１電圧値と前記第２電圧値との間で切り替える、請求項１から請求項７のいずれか１項に記載の照明制御装置。
【請求項９】
前記第１制御方式はＤＡＬＩ制御方式であり、前記第２制御方式はＰＷＭ制御方式である、請求項１から請求項８のいずれか１項に記載の照明制御装置。
【請求項１０】
照明器具と、前記照明器具を制御する照明制御装置とを備える照明システムであって、
前記照明制御装置は、
前記照明器具を制御する信号を生成する信号生成部と、
前記信号生成部を制御する制御部と
を備え、
前記照明器具は、第１制御方式、又は前記第１制御方式とは異なる第２制御方式に対応し、
前記制御部は、前記信号生成部を制御する制御モードとして、前記第１制御方式に対応する第１モードと、前記第２制御方式に対応する第２モードとを有する、照明システム。
【発明の詳細な説明】
【技術分野】
【０００１】
本発明は、照明制御装置、及び照明システムに関する。
【背景技術】
【０００２】
近年、照明用光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の制御方式には、例えば、信号線式とデジタル制御方式とがある。信号線式は、ＰＷＭ（Ｐｕｌｓｅ  Ｗｉｄｔｈ  Ｍｏｄｕｌａｔｉｏｎ）制御方式とも呼ばれる。信号線式は、照明制御装置から照明器具へ制御信号としてＰＷＭ信号を送る方式であり、デジタル制御方式は、照明制御装置から照明器具へ制御信号としてデジタル信号を送る方式である。デジタル制御方式には、ＤＡＬＩ（Ｄｉｇｉｔａｌ  Ａｄｄｒｅｓｓａｂｌｅ  Ｌｉｇｈｔｉｎｇ  Ｉｎｔｅｒｆａｃｅ）制御方式等がある。例えば特許文献１には、調光信号としてＤＡＬＩ信号又はＰＷＭ信号を出力する調光装置が記載されている。
【先行技術文献】
【特許文献】
【０００３】
【特許文献１】特開２０１４−０５６６７０号公報
【発明の概要】
【発明が解決しようとする課題】
【０００４】
しかしながら、特許文献１に記載の調光装置（照明制御装置）は、ＤＡＬＩ制御方式及びＰＷＭ制御方式の両方に対応するものではない。一般的に、照明制御装置は、２つの異なる制御方式に対応することはできず、例えば、ＤＡＬＩ制御方式に対応する照明器具にはＤＡＬＩ制御専用の照明制御装置を接続する必要があり、ＰＷＭ制御方式に対応する照明器具にはＰＷＭ制御専用の照明制御装置を接続する必要がある。
【０００５】
本発明は上記課題に鑑みてなされたものであり、その目的は、２つの異なる制御方式に対応可能な照明制御装置、及び照明システムを提供することにある。
【課題を解決するための手段】
【０００６】
本願に開示する照明制御装置は、信号生成部と、制御部とを備える。前記信号生成部は、照明器具を制御する信号を生成する。前記制御部は、前記信号生成部を制御する。前記照明器具は、第１制御方式、又は前記第１制御方式とは異なる第２制御方式に対応する。前記制御部は、前記信号生成部を制御する制御モードとして、前記第１制御方式に対応する第１モードと、前記第２制御方式に対応する第２モードとを有する。
【０００７】
本願に開示する照明制御装置は、前記照明器具から送信された信号を検出する信号検出部を更に備えてもよい。前記信号生成部は、前記照明器具に対して応答を要求する第１信号を生成してもよい。前記制御部は、前記第１信号が生成された後に、前記信号検出部が前記応答を示す第２信号を検出したか否かに応じて、前記照明器具が前記第１制御方式と前記第２制御方式とのうちのいずれに対応するかを判定してもよい。
【０００８】
本願に開示する照明制御装置において、前記制御部は、前記信号検出部が前記第２信号を検出した場合に、前記照明器具が前記第１制御方式に対応すると判定してもよく、前記信号検出部が前記第２信号を検出しない場合に、前記照明器具が前記第２制御方式に対応すると判定してもよい。
【０００９】
本願に開示する照明制御装置は、複数の前記照明器具を制御してもよい。また、前記第１信号は、前記複数の照明器具に対して一斉に送信されてもよい。
【００１０】
本願に開示する照明制御装置は、複数の前記照明器具を制御してもよい。前記複数の照明器具の各々に、互いに異なるアドレスが設定されてもよい。前記第１信号は、前記複数の照明器具のうち、指定された前記アドレスに対応する前記照明器具へ送信されてもよい。
【００１１】
本願に開示する照明制御装置において、前記制御部は、前記信号検出部が前記第２信号を検出したか否かに応じて、前記制御モードを前記第１モードと前記第２モードとのうちの一方に設定してもよい。
【００１２】
本願に開示する照明制御装置は、前記制御部の制御モードを前記第１モードと前記第２モードとのうちの一方に設定するスイッチを更に備えてもよい。
【００１３】
本願に開示する照明制御装置において、前記信号生成部は、第１電圧値を示す電圧、及び第２電圧値を示す電圧を生成する電源回路を含んでもよい。また、前記制御部は、設定された前記制御モードに応じて、前記電圧の電圧値を前記第１電圧値と前記第２電圧値との間で切り替えてもよい。
【００１４】
本願に開示する照明制御装置において、前記第１制御方式はＤＡＬＩ制御方式であってもよく、前記第２制御方式はＰＷＭ制御方式であってもよい。
【００１５】
本願に開示する照明システムは、照明器具と、前記照明器具を制御する照明制御装置とを備える。前記照明制御装置は、信号生成部と、制御部とを備える。前記信号生成部は、前記照明器具を制御する信号を生成する。前記制御部は、前記信号生成部を制御する。前記照明器具は、第１制御方式、又は前記第１制御方式とは異なる第２制御方式に対応する。前記制御部は、前記信号生成部を制御する制御モードとして、前記第１制御方式に対応する第１モードと、前記第２制御方式に対応する第２モードとを有する。
【発明の効果】
【００１６】
本発明によれば、２つの異なる制御方式に対応することが可能となる。
【図面の簡単な説明】
【００１７】
【図１】本発明の実施形態に係る照明システムを示す図である。
【図２】本発明の実施形態に係る照明制御装置が実行する判別処理を示すフローチャートである。
【図３】（ａ）はＤＡＬＩ信号の一例を示す図である。（ｂ）はＤＡＬＩプロトコルのフォワードフレームの構造を示す図である。（ｃ）はＤＡＬＩプロトコルのバックワードフレームの構造を示す図である。
【図４】（ａ）及び（ｂ）はＰＷＭ信号の一例を示す図である。
【図５】本発明の実施形態に係る照明制御装置の構成を示す図である。
【発明を実施するための形態】
【００１８】
以下、図面を参照して本発明の実施形態を説明する。ただし、本発明は以下の実施形態に限定されない。図中、同一又は相当部分については同一の参照符号を付して説明を繰り返さない。
【００１９】
図１は、本実施形態に係る照明システム１００を示す図である。図１に示すように、照明システム１００は、照明制御装置１と、複数の照明器具２ａ、２ｂとを備える。
【００２０】
照明器具２ａ、２ｂの制御方式は同一である。具体的には、照明器具２ａ、２ｂは第１制御方式、又は第１制御方式とは異なる第２制御方式に対応する。第１制御方式は、照明制御装置１と照明器具２ａ、２ｂとの間で双方向通信が可能な制御方式である。第２制御方式は、第１制御方式と同じ本数の信号線を使用する制御方式である。本実施形態において、第１制御方式はＤＡＬＩ制御方式であり、第２制御方式はＰＷＭ制御方式である。なお、照明器具２ａ、２ｂは、照明素子として、例えばＬＥＤ又は有機ＥＬ素子を備える。
【００２１】
照明制御装置１は、第１制御方式と第２制御方式とに対応する。すなわち、照明制御装置１は、ＤＡＬＩ制御方式とＰＷＭ制御方式とに対応する。したがって、照明制御装置１は、照明器具２ａ、２ｂの制御方式がＤＡＬＩ制御方式（第１制御方式）であっても、ＰＷＭ制御方式（第２制御方式）であっても、照明器具２ａ、２ｂから出射される光を制御することができる。
【００２２】
照明制御装置１は、ＤＡＬＩ制御方式に基づいて動作する際、マスタとなり、ＤＡＬＩプロトコルに則ったＤＡＬＩ信号（デジタル信号）を出力する。具体的には、照明制御装置１は、ＤＡＬＩプロトコルのフォワードフレームに対応するデジタル信号（データパケット）を生成する。
【００２３】
照明制御装置１が出力するデータパケットは、例えば、制御コマンド、又はクエリーコマンドを示す。制御コマンドは、照明器具２ａ、２ｂから出射される光を制御するコマンドである。具体的には、制御コマンドは、照明器具２ａ、２ｂから出射される光の光量（例えば、調光率）の変更を指令する。あるいは、制御コマンドは、照明器具２ａ、２ｂから出射される光の光色（例えば、相関色温度）の変更を指令する。一方、クエリーコマンドは、所定の問い合わせ内容に対する返答（応答）を要求するコマンドである。
【００２４】
照明器具２ａ、２ｂは、ＤＡＬＩ制御方式に対応する場合、スレーブとなり、マスタ（照明制御装置１）から指令されたコマンドに対応する動作を実行する。例えば、照明器具２ａ、２ｂは、受信したデータパケットが示す制御コマンドに応じて、照明器具２ａ、２ｂから出射される光の光量又は光色を変更する。なお、光色の制御（変更）は、照明器具２ａ、２ｂが、互いに光色が異なる光を発生する複数色の照明素子を備える場合に実行し得る。具体的には、各色の照明素子から発生する光の光量の割合が制御される。
【００２５】
スレーブとなった照明器具２ａ、２ｂは、マスタ（照明制御装置１）に対してＤＡＬＩ信号（デジタル信号）を送信することができる。具体的には、スレーブとなった照明器具２ａ、２ｂは、ＤＡＬＩプロトコルのバックワードフレームに対応するデジタル信号（データパケット）を生成することができる。例えば、マスタから出力されたデータパケットが、現在のステータス（光量及び光色）を問い合わせるクエリーコマンドを示す場合、スレーブとなった照明器具２ａ、２ｂは、現在のステータス（光量及び光色）を示すデータパケットをマスタに対して送信する。
【００２６】
照明制御装置１は、ＰＷＭ制御方式に基づいて動作する際、周波数が一定でデューティ比が可変のＰＷＭ信号を出力する。照明器具２ａ、２ｂがＰＷＭ制御方式に対応する場合、典型的には、照明器具２ａ、２ｂから出射される光の光量が、ＰＷＭ信号のデューティ比に基づいて制御される。
【００２７】
本実施形態の照明制御装置１は、照明器具２ａ、２ｂが第１制御方式（ＤＡＬＩ制御方式）と第２制御方式（ＰＷＭ制御方式）とのうちのいずれに対応するかを判別（判定）する判別処理を実行する。以下、図２を参照して、照明制御装置１が実行する判別処理について説明する。
【００２８】
図２は、照明制御装置１が実行する判別処理を示すフローチャートである。照明制御装置１は、照明器具２ａ、２ｂと接続された状態で最初に起動する際（初期起動時）に、判別処理を開始する。
【００２９】
まず、照明制御装置１は、照明器具２ａ、２ｂに対し、所定の問い合わせに対する返答（応答）を要求するＤＡＬＩ信号（第１信号の一例）を送信する（ステップＳ２０１）。換言すると、照明制御装置１は、クエリーコマンドを示すＤＡＬＩ信号を送信する。例えば、照明制御装置１は、照明器具２ａ、２ｂに対し、現在のステータス（光量及び光色）を問い合わせて、返答（応答）を要求する。
【００３０】
次に、照明制御装置１は、応答を要求するＤＡＬＩ信号を送信してから一定期間（例えば、１００ｍｓｅｃ）以内に、問い合わせに対する返答（応答）を示すＤＡＬＩ信号（第２信号の一例）を検出（受信）したか否かを判定する（ステップＳ２０２）。
【００３１】
照明器具２ａ、２ｂがＤＡＬＩ制御方式に対応する場合、照明器具２ａ、２ｂは、問い合わせに対する返答を示すＤＡＬＩ信号を送信する。照明制御装置１は、問い合わせに対する返答を検出した場合（ステップＳ２０２のＹｅｓ）、照明器具２ａ、２ｂがＤＡＬＩ制御方式（第１制御方式）に対応していると判定して（ステップＳ２０３）、判別処理を終了する。
【００３２】
照明器具２ａ、２ｂがＤＡＬＩ制御方式に対応していない場合、照明器具２ａ、２ｂは、問い合わせに対して応答（返答）しない。照明制御装置１は、応答を示すＤＡＬＩ信号を検出しない場合（ステップＳ２０２のＮｏ）、照明器具２ａ、２ｂがＰＷＭ制御方式（第２制御方式）に対応していると判定して（ステップＳ２０４）、判別処理を終了する。
【００３３】
照明制御装置１は、図２を参照して説明した判別処理による判別結果（判定結果）に応じて、ＤＡＬＩ制御方式とＰＷＭ制御方式とのうちから制御方式を選択する。そして照明制御装置１は、選択した制御方式により、照明器具２ａ、２ｂから出射される光を制御する。具体的には、照明制御装置１は、照明器具２ａ、２ｂがＤＡＬＩ制御方式に対応していると判定した場合（ステップＳ２０３）、ＤＡＬＩ信号を生成して、照明器具２ａ、２ｂから出射される光を制御する。また、照明制御装置１は、照明器具２ａ、２ｂがＰＷＭ制御方式に対応していると判定した場合（ステップＳ２０４）、ＰＷＭ信号を生成して、照明器具２ａ、２ｂから出射される光を制御する。
【００３４】
続いて図３（ａ）を参照して、照明制御装置１、及びＤＡＬＩ制御方式に対応する照明器具２ａ、２ｂが出力するＤＡＬＩ信号について説明する。図３（ａ）は、ＤＡＬＩ信号３０１の一例を示す図である。
【００３５】
図３（ａ）に示すように、ＤＡＬＩ信号３０１（デジタル信号）は、マンチェスタ符号化された信号である。具体的には、デジタル信号の最小単位であるビットの「１」及び「０」が、電圧レベルの変化（エッジ）によって示される。詳しくは、電圧レベルの立ち上がりエッジが「１」を示し、電圧レベルの立ち下がりエッジが「０」を示す。マスタとスレーブとの間で通信が実行されていない状態では、ＤＡＬＩ信号３０１の電圧レベルはＨレベルを維持する。なお、ＤＡＬＩ信号３０１のＨレベルとＬレベルとの間の電位差は１６Ｖである。
【００３６】
続いて図３（ｂ）を参照して、ＤＡＬＩプロトコルのフォワードフレームについて説明する。図３（ｂ）は、ＤＡＬＩプロトコルのフォワードフレームの構造を示す図である。なお、以下の説明において、ＤＡＬＩプロトコルのフォワードフレームは「ＤＡＬＩフォワードフレーム」と記載される。
【００３７】
図３（ｂ）に示すように、ＤＡＬＩフォワードフレームは「ａ」〜「ｆ」の６つのパートに分かれている。また、ＤＡＬＩフォワードフレームの合計ビット数は１９ビットである。
【００３８】
ＤＡＬＩフォワードフレームのａパートは、１ビットで構成される。ＤＡＬＩフォワードフレームのａパートは、フレームの先頭を示す。換言すると、ＤＡＬＩフォワードフレームのａパートは、スタートビットである。具体的には、スタートビットは、常に「１」を示す。
【００３９】
ＤＡＬＩフォワードフレームのｂパート〜ｄパートは、合計８ビットで構成されるアドレスバイトである。ＤＡＬＩフォワードフレームは、ｂパート〜ｄパートにより、３つのアドレスモード（ブロードキャスト、グループ、シングル）を指定する。
【００４０】
アドレスバイトのｂパートは、１ビットで構成される。「０」を示すｂパートは、アドレス（データパケットの宛先）が、シングル、すなわち、マスタ（照明制御装置）に接続された複数のスレーブ（照明器具）のうちのいずれか１つに対応することを示す。一方、「１」を示すｂパートは、アドレスが、グループアドレス、又はブロードキャストアドレスであることを示す。すなわち、ｂパートが「１」を示す場合、データパケットは、マスタに接続された複数のスレーブ群のうちのいずれか１つの群（グループ）を構成する全スレーブに一斉に送信されるか、あるいは、マスタに接続された全スレーブに一斉に送信される。
【００４１】
アドレスバイトのｃパートは、６ビットで構成され、アドレスを示す。アドレスバイトがブロードキャストを示す場合、ｃパートの全ビットは「１」を示す。
【００４２】
アドレスバイトのｄパートは１ビットで構成され、コマンドの種類を示す。詳しくは、「０」を示すｄパートは、コマンドが制御コマンドであることを示す。一方、「１」を示すｄパートは、コマンドが、制御コマンドとは異なるコマンドであることを示す。制御コマンドとは異なるコマンドは、例えば、クエリーコマンドである。
【００４３】
ＤＡＬＩフォワードフレームのｅパートは８ビットで構成されるデータバイトであり、コマンドを指定する。例えば、ＤＡＬＩフォワードフレームのデータバイトが指定する制御コマンドは、以下のコマンド＜１＞〜＜６＞のいずれかを示す。
＜１＞光量を指定するコマンド
＜２＞光色を指定するコマンド
＜３＞光量を現在値から１段階上げるコマンド
＜４＞光量を現在値から１段階下げるコマンド
＜５＞光色を現在値から１段階上げるコマンド
＜６＞光色を現在値から１段階下げるコマンド
【００４４】
ＤＡＬＩフォワードフレームのｆパートは、２ビットで構成される。ｆパートは、フレームの最後尾を示す。換言すると、ｆパートは、ストップビットである。具体的には、ｆパートは、ハイレベルで固定される。
【００４５】
続いて図３（ｃ）を参照して、ＤＡＬＩプロトコルのバックワードフレームについて説明する。図３（ｃ）は、ＤＡＬＩプロトコルのバックワードフレームの構造を示す図である。なお、以下の説明において、ＤＡＬＩプロトコルのバックワードフレームは「ＤＡＬＩバックワードフレーム」と記載される。
【００４６】
図３（ｃ）に示すように、ＤＡＬＩバックワードフレームは「ａ」〜「ｃ」の３つのパートに分かれている。また、ＤＡＬＩバックワードフレームの合計ビット数は１１ビットである。
【００４７】
ＤＡＬＩバックワードフレームのａパートは、１ビットで構成される。ＤＡＬＩバックワードフレームのａパートは、フレームの先頭を示す。換言すると、ＤＡＬＩバックワードフレームのａパートは、スタートビットである。具体的には、スタートビットは、常に「１」を示す。
【００４８】
ＤＡＬＩバックワードフレームのｂパートは８ビットで構成されるデータバイトであり、クエリーコマンドに対する応答（返答）を示す。ＤＡＬＩバックワードフレームのデータバイトは、例えば、スレーブ（照明器具）から現在出射されている光の光量及び光色を示す。
【００４９】
ＤＡＬＩバックワードフレームのｃパートは、２ビットで構成される。ＤＡＬＩバックワードフレームのｃパートは、フレームの最後尾を示す。換言すると、ＤＡＬＩバックワードフレームのｃパートは、ストップビットである。具体的には、ストップビットは、ハイレベルで固定される。
【００５０】
続いて図４（ａ）及び図４（ｂ）を参照して、照明制御装置１が出力するＰＷＭ信号４０１について説明する。図４（ａ）及び図４（ｂ）は、ＰＷＭ信号４０１の一例を示す図である。図４（ａ）及び図４（ｂ）に示すように、ＰＷＭ信号４０１は、周期Ｔが一定であって、パルス幅τが可変の信号である。なお、ＰＷＭ信号４０１の振幅は一定であり、ＰＷＭ信号４０１のＨレベルとＬレベルとの間の電位差は、例えば１３Ｖである。
【００５１】
照明器具２ａ、２ｂがＰＷＭ制御方式に対応する場合、典型的には、ＰＷＭ信号４０１のデューティ比Ｄ（＝τ／Ｔ）を変化させることにより、照明器具２ａ、２ｂから出射される光の光量を変化させることができる。
【００５２】
続いて図５を参照して、照明制御装置１の構成について説明する。図５は、照明制御装置１の構成を示す図である。図５に示すように、照明制御装置１は、２本の信号線５０１ａ、５０１ｂを介して照明器具２ａ、２ｂに接続する。詳しくは、照明器具２ａ、２ｂは、照明制御装置１に対して並列に接続する。また、図５に示すように、照明制御装置１は、制御部１１と、信号生成部１２と、入力部１３と、信号検出部１４と、選択スイッチ１５とを備える。
【００５３】
制御部１１は、信号生成部１２を制御する。制御部１１は、信号生成部１２を制御する制御モードとして、第１モードと、第１モードとは異なる第２モードとを有する。本実施形態において、第１モードはＤＡＬＩ制御方式に対応し、第２モードはＰＷＭ制御方式に対応する。なお、以下の説明において、第１モードを「ＤＡＬＩモード」と記載するとともに、第２モードを「ＰＷＭモード」と記載する場合がある。
【００５４】
制御部１１の制御モードは、図２を参照して説明した判別処理による判別結果に応じて、ＤＡＬＩモードとＰＷＭモードとのうちの一方に設定される。具体的には、制御部１１は、照明器具２ａ、２ｂがＤＡＬＩ制御方式に対応していると判定した場合（図２のステップＳ２０３）、制御モードをＤＡＬＩモードに設定する。また、制御部１１は、照明器具２ａ、２ｂがＰＷＭ制御方式に対応していると判定した場合（図２のステップＳ２０４）、制御モードをＰＷＭモードに設定する。
【００５５】
信号生成部１２は、制御部１１によって制御されて、照明器具２ａ、２ｂから出射される光を制御する信号を生成する。具体的には、制御部１１の制御モードがＤＡＬＩモードに設定されている場合、信号生成部１２は、制御部１１によって制御されて、ＤＡＬＩ信号（ＤＡＬＩフォワードフレームに対応するデジタル信号）を生成する。一方、制御部１１の制御モードがＰＷＭモードに設定されている場合、信号生成部１２は、制御部１１によって制御されて、ＰＷＭ信号を生成する。
【００５６】
制御部１１は、典型的には、マイクロコントロールユニット（Ｍｉｃｒｏ−Ｃｏｎｔｒｏｌ  Ｕｎｉｔ）を含む。なお、制御部１１は、マイクロコントロールユニットに限定されるものではない。例えば、制御部１１は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とによって構成されてもよい。
【００５７】
制御部１１は、ＤＡＬＩ制御用のプログラムと、ＰＷＭ制御用のプログラムとを記憶している。制御部１１は、制御モードがＤＡＬＩモードに設定されている場合、ＤＡＬＩ制御用プログラムに従って信号生成部１２を制御する。この結果、信号生成部１２がＤＡＬＩ信号を生成する。一方、制御部１１は、制御モードがＰＷＭモードに設定されている場合、ＰＷＭ制御用プログラムに従って信号生成部１２を制御する。この結果、信号生成部１２がＰＷＭ信号を生成する。
【００５８】
続いて、入力部１３と制御部１１とについて説明する。入力部１３はユーザーインターフェースであり、ユーザーの指令を受け付ける。例えば、入力部１３は、複数個の押しボタン、又はタッチパネルを備える。あるいは、入力部１３は、少なくとも１個の押しボタン、及びタッチパネルを備えてもよい。ユーザーは、入力部１３を操作して、照明器具２ａ、２ｂから出射される光を制御することができる。
【００５９】
制御部１１は、ＤＡＬＩ調光調色テーブルとＰＷＭ調光テーブルとを記憶している。ＤＡＬＩ調光調色テーブルは、ユーザーが入力部１３に対して行う所定の操作と、ＤＡＬＩプロトコルの制御コマンドとの関係を示す。ＰＷＭ調光テーブルは、ユーザーが入力部１３に対して行う所定の操作と、ＰＷＭ信号のデューティ比Ｄとの関係を示す。
【００６０】
制御部１１は、制御モードがＤＡＬＩモードに設定されている場合、ＤＡＬＩ調光調色テーブルを参照して、ユーザーによる入力部１３の操作に対応する制御コマンドを特定する。また、制御部１１は、特定した制御コマンドを示すＤＡＬＩ信号が生成されるように、信号生成部１２を制御する。この結果、照明器具２ａ、２ｂから出射される光の光量又は光色が、ユーザーによる入力部１３の操作に応じて変化する。例えば、照明器具２ａ、２ｂが複数色の照明素子を備える場合、ユーザーは、入力部１３を操作して、照明器具２ａ、２ｂから出射される光の光量又は光色の設定値を任意に指定することができる。あるいは、ユーザーは、入力部１３を操作して、照明器具２ａ、２ｂから出射される光の光量又は光色を１段階ずつ調整することができる。
【００６１】
制御部１１は、制御モードがＰＷＭモードに設定されている場合、ＰＷＭ調光テーブルを参照して、ユーザーによる入力部１３の操作に対応するデューティ比Ｄを特定する。また、制御部１１は、特定したデューティ比Ｄを有するＰＷＭ信号が生成されるように、信号生成部１２を制御する。この結果、照明器具２ａ、２ｂから出射される光の光量が、ユーザーによる入力部１３の操作に応じて変化する。例えば、ユーザーは、入力部１３を操作して、照明器具２ａ、２ｂから出射される光の光量の設定値を任意に指定することができる。あるいは、ユーザーは、入力部１３を操作して、照明器具２ａ、２ｂから出射される光の光量を１段階ずつ調整することができる。
【００６２】
続いて信号生成部１２と制御部１１とについて更に説明する。本実施形態において、信号生成部１２は、外部の交流電源３に接続しており、交流電源３から供給された交流電圧に基づいて、ＤＡＬＩ信号又はＰＷＭ信号を生成する。
【００６３】
詳しくは、信号生成部１２は、電源回路１２１と、スイッチ素子１２２とを有する。電源回路１２１は、交流電源３に接続しており、交流電源３から供給された交流電圧に基づいて直流電圧を生成する。電源回路１２１が生成した電圧は、スイッチ素子１２２の動作（ターンオン及びターンオフ）によって、ＤＡＬＩ信号又はＰＷＭ信号に変換される。
【００６４】
交流電源３は、典型的には商用交流電源である。交流電源３が商用交流電源である場合、交流電源３から供給される交流電圧の周波数は５０Ｈｚ又は６０Ｈｚである。また、交流電源３から供給される交流電圧の実効値は１００Ｖである。
【００６５】
電源回路１２１が出力する電圧の電圧値は、制御部１１によって制御される。具体的には、制御部１１は、制御モードがＤＡＬＩモードに設定されている場合、１６Ｖ（第１電圧値の一例）の電圧が生成されるように電源回路１２１を制御する。一方、制御部１１は、制御モードがＰＷＭモードに設定されている場合、１３Ｖ（第２電圧値の一例）の電圧が生成されるように電源回路１２１を制御する。また、本実施形態において、制御部１１は、図２を参照して説明した判別処理の実行時に、１６Ｖの電圧が生成されるように電源回路１２１を制御する。
【００６６】
スイッチ素子１２２は、制御部１１によって制御される。具体的には、スイッチ素子１２２は、制御部１１によって制御されて、ターンオン又はターンオフする。例えば、スイッチ素子１２２は、ＭＯＳＦＥＴ又はバイポーラトランジスタのような半導体スイッチ素子であり得る。本実施形態において、スイッチ素子１２２はＭＯＳＦＥＴである。スイッチ素子１２２がＭＯＳＦＥＴである場合、制御部１１は、ＭＯＳＦＥＴのゲート駆動信号を生成して、ＭＯＳＦＥＴのターンオン及びターンオフを制御する。
【００６７】
詳しくは、制御部１１は、制御モードがＤＡＬＩモードに設定されている場合、ＤＡＬＩ信号（マンチェスタ符号化された信号）が生成されるようにスイッチ素子１２２のターンオン及びターンオフを制御する。例えば、制御部１１は、制御モードがＤＡＬＩモードに設定されている場合、ユーザーによる入力部１３の操作に対応する制御コマンドを特定する。そして、制御部１１は、特定した制御コマンドを示すＤＡＬＩ信号が生成されるように、スイッチ素子１２２の動作（ターンオン及びターンオフ）を制御する。
【００６８】
一方、制御部１１は、制御モードがＰＷＭモードに設定されている場合、ＰＷＭ信号が生成されるようにスイッチ素子１２２のターンオン及びターンオフを制御する。例えば、制御部１１は、制御モードがＰＷＭモードに設定されている場合、ユーザーによる入力部１３の操作に対応するデューティ比Ｄを特定する。そして、制御部１１は、特定したデューティ比Ｄを有するＰＷＭ信号が生成されるように、スイッチ素子１２２の動作（ターンオン及びターンオフ）を制御する。
【００６９】
続いて、信号検出部１４について説明する。信号検出部１４は、照明器具２ａ、２ｂから送信された信号を検出（受信）する。本実施形態において、信号検出部１４は、照明器具２ａ、２ｂがＤＡＬＩ制御方式に対応する場合に、照明器具２ａ、２ｂから送信されたＤＡＬＩ信号（ＤＡＬＩバックワードフレームに対応するデジタル信号）を検出する。信号検出部１４は、照明器具２ａ、２ｂから送信された信号を検出すると、その検出した信号に対応する信号を生成する。信号検出部１４が生成した信号は、制御部１１に入力される。一方、照明器具２ａ、２ｂがＰＷＭ制御方式に対応する場合には、信号検出部１４から制御部１１へ信号が入力されない。なお、本実施形態において、信号検出部１４は、フォトカプラ１４１を含む。
【００７０】
続いて、制御部１１が実行する判別処理について説明する。制御部１１は、図２を参照して説明した判別処理を実行する。具体的には、制御部１１は、照明制御装置１の初期起動時に、クエリーコマンドを示すＤＡＬＩ信号が生成されるように信号生成部１２（スイッチ素子１２２）を動作させる。本実施形態において、判別処理時に信号生成部１２が生成するＤＡＬＩ信号のアドレスバイトは、ブロードキャストを示す。この結果、クエリーコマンドを示すＤＡＬＩ信号が、照明器具２ａ、２ｂに対して一斉に送信される。
【００７１】
次に、制御部１１は、クエリーコマンドを示すＤＡＬＩ信号を送信してから一定期間以内に、信号検出部１４から信号が入力されたか否かを判定する。換言すると、制御部１１は、問い合わせに対する返答（応答）を示す信号を信号検出部１４が検出したか否かを判定する。制御部１１は、信号検出部１４が信号を検出した場合、照明器具２ａ、２ｂがＤＡＬＩ制御方式に対応していると判定し、信号検出部１４が信号を検出しなかった場合、照明器具２ａ、２ｂがＰＷＭ制御方式に対応していると判定する。
【００７２】
なお、制御部１１は、エラー応答を検出した場合にも、照明器具２ａ、２ｂがＤＡＬＩ制御方式に対応していると判定する。エラー応答は、例えば、照明器具２ａ、２ｂから出力されたＤＡＬＩ信号が信号検出部１４に同時に入力する場合に発生する。
【００７３】
続いて、選択スイッチ１５について説明する。選択スイッチ１５は、制御部１１の制御モードをＤＡＬＩモードとＰＷＭモードとのうちの一方に設定するためのスイッチである。選択スイッチ１５は、典型的には手動式であり、例えばＤＩＰ（Ｄｕａｌ  ｉｎ−ｌｉｎｅ  Ｐａｃｋａｇｅ）スイッチであり得る。選択スイッチ１５は、一般的には、照明制御装置１が備える筐体の内側に配置され、照明制御装置１の設置時（施工時）に、作業者が操作し得る。
【００７４】
制御部１１の制御モードが、照明制御装置１の設置時に、選択スイッチ１５によってＤＡＬＩモード又はＰＷＭモードに設定されると、判別処理の判別結果にかかわらず、制御部１１の制御モードは、選択スイッチ１５によって設定された制御モードに維持される。あるいは、照明制御装置１の設置時に、選択スイッチ１５によって制御部１１の制御モードがＤＡＬＩモード又はＰＷＭモードに設定された場合、制御部１１による判別処理の実行はキャンセルされ得る。また、判別処理の実行後に選択スイッチ１５が操作された場合、制御部１１の制御モードは、選択スイッチ１５の操作に応じた制御モードとなる。
【００７５】
以上説明した本実施形態によれば、１台の照明制御装置１によって、制御方式が異なる照明器具を制御することができる。
【００７６】
また、本実施形態によれば、照明器具２ａ、２ｂの制御方式を自動的に判別することができる。したがって、照明制御装置１のモードを設定する作業を省略できる。
【００７７】
更に、本実施形態によれば、選択スイッチ１５を手動で操作して、照明制御装置１のモードを設定することができる。したがって、照明制御装置１の利便性が向上する。
【００７８】
以上、本発明の実施形態について図面を参照しながら説明した。但し、本発明は、上記の実施形態に限られるものではなく、その要旨を逸脱しない範囲で種々の態様において実施することが可能である。
【００７９】
例えば、本発明の実施形態では、照明制御装置１の初期起動時に判別処理が実行されたが、判別処理は、照明制御装置１が起動する度に実行されてもよい。あるいは、判別処理は、照明制御装置１に接続する照明器具の台数が変化する度に実行されてもよい。例えば、判別処理は、照明制御装置１に接続する照明器具が追加又は変更される度に実行され得る。
【００８０】
また、本発明の実施形態では、制御部１１の制御モードが判別処理の判別結果によって設定されたが、本発明はこれに限定されない。選択スイッチ１５の操作によってのみ、制御部１１の制御モードが設定されてもよい。換言すると、制御部１１は判別処理を実行しなくてもよい。この場合、信号検出部１４は省略され得る。あるいは、判別処理の判別結果によってのみ、制御部１１の制御モードが設定されてもよい。換言すると、選択スイッチ１５は省略され得る。
【００８１】
また、本発明による実施形態では、交流電源３として商用交流電源を例示したが、交流電源３は商用交流電源に限定されるものではなく、自家発電機等であってもよい。
【００８２】
また、本発明の実施形態では、ＤＡＬＩ制御方式に対応する照明器具２ａ、２ｂが複数色の照明素子を備える場合、照明制御装置１は、照明器具２ａ、２ｂから出射される光の光量及び光色を制御したが、本発明はこれに限定されない。ＤＡＬＩ制御方式に対応する照明器具２ａ、２ｂが複数色の照明素子を備える場合において、照明制御装置１は、照明器具２ａ、２ｂから出射される光の光量及び光色の一方のみを制御してもよい。なお、ＤＡＬＩ制御方式に対応する照明器具２ａ、２ｂが単色の照明素子のみを備える場合、照明制御装置１は、照明器具２ａ、２ｂから出射される光の光量のみを制御する。
【００８３】
また、本発明の実施形態では、照明制御装置１は、照明器具２ａ、２ｂがＰＷＭ制御方式に対応する場合、照明器具２ａ、２ｂから出射される光の光量を制御したが、本発明はこれに限定されない。すなわち、ＰＷＭ制御方式に対応する照明器具２ａ、２ｂが光色を制御できる機種である場合、照明制御装置１は、照明器具２ａ、２ｂから出射される光の光色を制御し得る。この場合、照明器具２ａ、２ｂは複数色の照明素子を備える。また、照明器具２ａ、２ｂは、ＰＷＭ調光調色テーブルを記憶する。ＰＷＭ調光調色テーブルは、ＰＷＭ信号のデューティ比Ｄと、光量と、光色との関係を示す。ＰＷＭ制御方式に対応する照明器具２ａ、２ｂが光色を制御できる機種である場合において、照明制御装置１は、照明器具２ａ、２ｂから出射される光の光量及び光色の一方のみを制御してもよい。
【００８４】
また、本発明の実施形態では、判別処理の実行時に、アドレスバイトがブロードキャストを示すＤＡＬＩ信号が生成されたが、本発明はこれに限定されない。例えば、照明器具２ａ、２ｂの各々に、互いに異なるアドレスが設定されている場合、照明制御装置１は、クエリーコマンドを示すＤＡＬＩ信号を、照明器具２ａ、２ｂに対して個別に送信し得る。具体的には、ＤＡＬＩ信号のアドレスバイトは、指定されたアドレスを示す。クエリーコマンドを示すＤＡＬＩ信号は、照明器具２ａ、２ｂのうち、指定されたアドレスに対応する照明器具へ送信される。したがって、照明制御装置１は、照明器具にアドレスが設定されている場合、照明器具ごとに、クエリーコマンドを示すＤＡＬＩ信号を送信する。
【００８５】
また、本発明の実施形態では、２台の照明器具（照明器具２ａ、２ｂ）が照明制御装置１に接続されたが、照明制御装置１に接続される照明器具の台数は特に限定されない。すなわち、１台の照明器具が照明制御装置１に接続されてもよいし、３台以上の照明器具が照明制御装置１に接続されてもよい。例えば、照明器具がＤＡＬＩ制御方式に対応する場合、一般的には、最大で６４台の照明器具を照明制御装置１に接続することが可能である。
【符号の説明】
【００８６】
１        照明制御装置
２ａ      照明器具
２ｂ      照明器具
１１      制御部
１２      信号生成部
１４      信号検出部
１５      選択スイッチ（スイッチ）
１００    照明システム
１２１    電源回路
【図１】
2018152274.tif 000003
【図２】
2018152274.tif 000004
【図３】
2018152274.tif 000005
【図４】
2018152274.tif 000006
【図５】
2018152274.tif 000007